(57)【要約】【課題】  被写体が遠距離にあっても内蔵照明及び外付け照明を双方とも被写体に向けて有効に発光させ、また部品点数を増加させて利便性を損ねまたコスト高になることがない。【解決手段】  内蔵照明部３からの光を受光部４に導く導光部７を本体１に備えた。導光部７は、内蔵照明部３の一部を構成する集光部３１の端部に設けた。導光部７は、内蔵照明部３の一部を構成する前面パネル３２の端部に設けた。導光部３は、本体１に備えられた鏡胴や外装１１やレンズバリア１２に形成した。導光部７は、内蔵照明部３の端部に備えた光伝達部材である。導光部７は、内蔵照明部３の上方にあって外装に備えた光を透過する窓部である。導光部７は、内蔵照明部３の上方に形成した孔である。【選択図】  図２
2005181686.tif 000002
【特許請求の範囲】
【請求項１】
内蔵照明部を有する本体と、この本体に取り付けられ、受光部とこの受光部での受光にて発光する外付け照明部とを有する外付け照明筐体と、を有する画像記録装置において、
上記内蔵照明部からの光を上記受光部に導く導光部を上記本体に備えたことを特徴とする画像記録装置。
【請求項２】
導光部は、内蔵照明部の一部を構成する集光部の端部に設けたことを特徴とする請求項１に記載の画像記録装置。
【請求項３】
集光部は、反射笠あるいは集光レンズであることを特徴とする請求項２に記載の画像記録装置。
【請求項４】
導光部は、内蔵照明部の一部を構成する前面パネルの端部に設けたことを特徴とする請求項１に記載の画像記録装置。
【請求項５】
導光部は、本体に備えられた鏡胴に形成したことを特徴とする請求項１に記載の画像記録装置。
【請求項６】
導光部は、本体に備えた外装に備えたことを特徴とする請求項１に記載の画像記録装置。
【請求項７】
導光部は、本体に備えたレンズバリアに備えたことことを特徴とする請求項１に記載の画像記録装置。
【請求項８】
導光部は、内蔵照明部の端部に備えた光伝達部材であることを特徴とする請求項１に記載の画像記録装置。
【請求項９】
導光部は、内蔵照明部の上方にあって外装に備えた光を透過する窓部であることを特徴とする請求項１に記載の画像記録装置。
【請求項１０】
導光部は、内蔵照明部の上方に形成した孔であることを特徴とする請求項１に記載の画像記録装置。
【請求項１１】
導光部は、反射体であることを特徴とする請求項２乃至７のいずれか一項に記載の画像記録装置。
【請求項１２】
反射体は、表面処理、塗装、蒸着のいずれかにて形成することを特徴とする請求項１１に記載の画像記録装置。
【請求項１３】
反射体は、着脱可能であることを特徴とする請求項１１に記載の画像記録装置。
【請求項１４】
導光部は、屈折物であることを特徴とする請求項２乃至４のいずれか一項に記載の画像記録装置。
【請求項１５】
導光部は、撮影時のみ、内蔵照明部からの光を導きあるいは出現することを特徴とする請求項６又は７に記載の画像記録装置。
【請求項１６】
導光部は、受光部より被写体側に位置することを特徴とする請求項１乃至１５のいずれか一項に記載の画像記録装置。
【請求項１７】
導光部は、配光余裕の範囲にて配置したことを特徴とする請求項１乃至１６のいずれか一項に記載の画像記録装置。
【発明の詳細な説明】
【技術分野】
【０００１】
本発明は、内蔵照明の光を受光部で受光して発光を行う外付け照明を備える画像記録装置に関する。
【背景技術】
【０００２】
従来、画像記録装置、例えばカメラには、内蔵照明を有するカメラ本体に、この内蔵照明とは別の外付け照明が取り付けられる構造のものがある（特許文献１参照）。この種のカメラは、例えば内蔵照明以上の発光量が必要な場合に外付け照明を加えて被写体を照明する。
このカメラの外付け照明は、カメラ本体からの電気信号を受けて発光する方式の外に、カメラ本体の内蔵照明による発光を検知して発光する方式のものがある。
図１５は、カメラ本体１に外付け照明筐体２を取り付けたカメラを側面から示し、内蔵照明部３による発光を受光部４にて検知して外付け照明部５を発光させる方式を示す。すなわちこの方式は、内蔵照明部３による発光を被写体６に当て、被写体６からの反射光を受光部４が検知して外付け照明部５を発光させている。
【特許文献１】特開２００１−２０９０９３公報
【特許文献２】実開平７−１４３７号公報
【発明の開示】
【発明が解決しようとする課題】
【０００３】
しかしながら、上述の方式による外付け照明の発光は、仮に被写体５が遠距離にあった場合、被写体５からの反射光が得られない、あるいは反射光による照度が受光部４の検知レベルまで達しない、したがって外付け照明が発光できない、という問題があった。
先行技術として、特許文献２には、光ファイバーケーブルを使った水中カメラにあって、内蔵照明の前面を覆うように光ファイバーケーブル端部を配置することにより、内蔵照明の光を外付け照明の受光部に導く構造が開示される。しかし、この構造では内蔵照明が照明として効果的に使用出来なくなり、内蔵照明光が弱くなるだけでなく電力の無駄になる。しかも、光ファイバーケーブルはカメラと別部材で、利便性が悪く、コストも高くなる。
本発明は、上記に鑑みてなされたものであって、被写体が遠距離にあっても内蔵照明及び外付け照明を双方とも被写体に向けて有効に発光させ、また部品点数を増加させて利便性を損ねまたコスト高になることがないような画像記録装置の提供を目的とする。
【課題を解決するための手段】
【０００４】
上述した課題を解決し、目的を達成するために、請求項１にかかる発明は、内蔵照明部を有する本体と、この本体に取り付けられ、受光部とこの受光部での受光にて発光する外付け照明部とを有する外付け照明筐体と、を有する画像記録装置において、上記内蔵照明部からの光を上記受光部に導く導光部を上記本体に備えたことを特徴とする。
また、請求項２にかかる発明は、請求項１にかかる発明において、導光部は、内蔵照明部の一部を構成する集光部の端部に設けたことを特徴とする。
また、請求項３にかかる発明は、請求項２にかかる発明において、集光部は、反射笠あるいは集光レンズであることを特徴とする。
また、請求項４にかかる発明は、請求項１にかかる発明において、導光部は、内蔵照明部の一部を構成する前面パネルの端部に設けたことを特徴とする。
また、請求項５にかかる発明は、請求項１にかかる発明において、導光部は、本体に備えられた鏡胴に形成したことを特徴とする。
また、請求項６にかかる発明は、請求項１にかかる発明において、導光部は、本体に備えたレンズバリアに備えたことを特徴とする。
また、請求項７にかかる発明は、請求項１にかかる発明において、導光部は、内蔵照明部の端部に備えた光伝達部材であることを特徴とする。
また、請求項８にかかる発明は、請求項１にかかる発明において、導光部は、内蔵照明部の端部に備えた光伝達部材であることを特徴とする。
また、請求項９にかかる発明は、請求項１にかかる発明において、導光部は、内蔵照明部の上方にあって外装に備えた光を透過する窓部であることを特徴とする。
また、請求項１０にかかる発明は、請求項１にかかる発明において、導光部は、内蔵照明部の上方に形成した孔であることを特徴とする。
また、請求項１１にかかる発明は、請求項２乃至７のいずれかにかかる発明において、導光部は、反射体であることを特徴とする。
また、請求項１２にかかる発明は、請求項１１にかかる発明において、反射体は、表面処理、塗装、蒸着のいずれかにて形成することを特徴とする。
また、請求項１３にかかる発明は、請求項１１にかかる発明において、反射体は、着脱可能であることを特徴とする。
また、請求項１４にかかる発明は、請求項２乃至４のいずれかにかかる発明において、導光部は、屈折物であることを特徴とする。
また、請求項１５にかかる発明は、請求項６又は７にかかる発明において、導光部は、撮影時のみ、内蔵照明部からの光を導きあるいは出現することを特徴とする。
また、請求項１６にかかる発明は、請求項１乃至１５のいずれかにかかる発明において、導光部は、受光部より被写体側に位置することを特徴とする
また、請求項１７にかかる発明は、請求項１乃至１６のいずれかにかかる発明において、導光部は、配光余裕の範囲にて配置したことを特徴とする。
【発明の効果】
【０００５】
請求項１にかかる発明によれば、導光部によって、外付け照明筐体の受光部に内蔵照明部からの光を直接導くことができ、仮に被写体が遠距離に存在し被写体からの反射光がなくても外付け照明部を発光させることができる。
また、請求項２乃至７、９乃至１２、１４にかかる発明によれば、容易でしかも安価な導光部を得ることができる。
また、請求項８にかかる発明によれば、内蔵照明部の光を受光部に伝達することが困難な位置関係にある時でも、自在に光路を変えることが可能となる。
また、請求項１３にかかる発明によれば、必要な時のみ導光部を形成することができる。導光部の形成も容易である。
また、請求項１５にかかる発明によれば、導光部は、必要な時だけに出現し、機能を果たす事で、外観を損ねず、劣化を防ぐ事が出来る。
また、請求項１６にかかる発明によれば、受光部は被写体側に向けられているが、受光部に対して導光部が被写体に出ているので、必然的に導後部からの光を受光部にて受光しやすい。
また、請求項１７にかかる発明によれば、光量を無駄にせず、よって記録画像に影響することなく、光の有効活用することが出来る。
【発明を実施するための最良の形態】
【０００６】
以下に添付図面を参照して、この発明にかかる画像記録装置の最良な実施の形態を詳細に説明する。
図１は、本発明にかかる画像記録装置の例示としてのカメラを示す概略構成図である。図１において、カメラは、カメラ本体１と外付け照明筐体２とを有し、カメラ本体１を前面から見ると撮像レンズ（図示省略）を収納した鏡胴あるいはこの鏡胴を覆う外装１１、この鏡胴あるいは外装１１を覆うように左右に移動してレンズを保護するレンズバリア１２、鏡胴あるいは外装１１及びレンズバリア１２の上部に位置する内蔵照明部３、この内蔵照明部３の隣に位置するファインダ１３、カメラ本体１の上端部に位置するレリーズ釦１４、及び外付け照明筐体取り付け部１５を有する。ここで、外付け照明筐体取り付け部１５は、いわゆるアクセサリーシュー（ホットシュー）や三脚座などの付属部品取り付け部材である。また、鏡胴は、それを覆う外装に対して、収納・繰出しが可能なもの、外装と一体となったもの、外装に覆われているものなどがある。更に、図１は左右に移動するレンズバリア１２を備えた例を図示するが、レンズバリア１２がないもの、レンズバリア１２が上下あるいは回転する構造のものもある。一方、外付け照明筐体２は、その下端部の取り付け部２１、前面にあって光を検知し外付け照明部５を発光させる受光部４、及び外付け照明部５を有する。
かかる構成にあって、レリーズ釦１４を押し込むことでレンズシャッタが開くと共に内蔵照明部３が発光し、その発光を受光部４が受けて外付け照明部５が発光する。この場合、受光部４は、従来説明にて述べたように被写体に当った光を受ける外、後述する導光部（図２以下参照）からの光を受光する。
【実施例１】
【０００７】
図２は、実施例１のカメラを側面から見た図である。図２に例示するカメラにおいて、カメラ本体１に備えた内蔵照明部３の下方に位置して前方に突出して存在する鏡胴あるいは外装１１の上面には、導光部７が備えられる。この導光部７は、図２の例では内蔵照明部３からの光を反射させる反射体である。そして、この導光部７は、内蔵照明部３からの光を外付け照明筐体２に備えた受光部４に向けて反射させる機能を有する。したがって、内蔵照明部３からの光は、反射体である導光部７にて反射され外付け照明筐体２に備えた受光部４にて検知される。
ここで、内蔵照明部３の構造を説明するに、この内蔵照明部３は、図３（ａ）に示すように例えばＸｅ管である光源３０、この光源３０から発射した光を集光する湾曲した反射笠などの集光部３１、この光源３０及び集光部３１の前面にあって光を集光・発散させるフレネルレンズ等の前面パネル３２（図２参照）からなり、また、図３（ｂ）に示すように例えば内部に発光半導体を備えるＬＥＤからなる光源３０、光を集光するレンズなどの集光部３１、この光源３０及び集光部３１の前面に存在する前面パネル（図２参照）からなる。
【実施例２】
【０００８】
図４は、集光部３１である反射笠の一部を利用して導光部７を形成した例を示す。すなわち、この実施例の導光部７は、反射笠に突起部３１１を形成して光源３０からの光を外付け照明筐体２の受光部４の方向に反射させる構造である。この場合、突起部３１１は、外部に露出するあるいは反射効率を上げるために別途表面処理あるいは塗装・蒸着をしても良い。この場合、表面処理は、鏡面加工、表面に凹凸をつける粗し処理がある（以下同じ）。また、塗装や蒸着は、金や銀の素材、金色銀色白色などの色を使用して反射率の高いものが施される（以下同じ）。この例では、導光部７としての突起部３１１は、反射笠の下部より前面に突出し、しかも内蔵照明部３の左端部下部に備えられる。この構造により内蔵照明部３からの光は、導光部７である突起部３１１から外付け照明筐体２に備えた受光部４に向けて反射される。
【実施例３】
【０００９】
図５は、前面パネル３２の一部に導光部７を形成した例を示す。すなわち、本実施例の導光部７は、プラスチックやガラスからなる前面パネル３２の例えば上端部に（ａ）に示すような反射突起部３２１を形成したもの、（ｂ）に示すような反射のための表面処理や塗装・蒸着を施したもの、（ｃ）に示すような屈折させる構造としたもの、（ｄ）に示すようなフレネルレンズを利用して屈折させたもの、である。この場合、屈折部材としては、ガラスやモールド材質のもので、例えば集光レンズ、フレネルレンズ、プリズムレンズ、板材が挙げられる（以下同じ）。図５の（ａ）〜（ｄ）のいずれの構造も、内蔵照明部３からの光を外付け照明筐体２に備えた受光部４に向けて反射又は屈折させている。
【実施例４】
【００１０】
図６は、集光部３１である集光レンズの一部に導光部７を形成した例を示す。すなわち、本実施例の導光部７は、集光レンズの上端部に（ａ）に示すような反射突起部３１２を形成したもの、（ｂ）に示すような反射のための表面処理や塗装・蒸着を施したもの、（ｃ）に示すような屈折させる構造としたもの、である。図６の（ａ）〜（ｃ）のいずれの構造も、内蔵照明部３からの光を外付け照明筐体２に備えた受光部４に向けて反射又は屈折させている。
【実施例５】
【００１１】
図７は、鏡胴１１を利用して内蔵照明部３からの光を反射させる導光部７を形成した例を示す。すなわち、本実施例の導光部７は、鏡胴１１の突出部（収納可能な鏡胴１１では突出している状態）を利用して、（ａ）は、鏡胴１１全体を反射体としたもの、（ｂ）は鏡胴１１の上面一部に反射突起部１１１を備えたもの、（ｃ）は鏡胴１１の上面に反射のための表面処理や塗装・蒸着を施したもの（図２の例と同じである）、である。図７の（ａ）〜（ｃ）のいずれの構造も、内蔵照明部３からの光を外付け照明筐体２に備えた受光部４に向けて反射させることができる。
【実施例６】
【００１２】
図７は鏡胴に導光部７を形成した例を示したが、図８は外装１１に導光部７を形成した例を示す。すなわち、本実施例の導光部７は、（ａ）は、鏡胴に当る外装１１全体を反射体としたもの、（ｂ）は内蔵照明部３の直下の外装１１に反射突起部１１２を備えたもの、（ｃ）は鏡胴に当たる外装１１の上面に反射のための表面処理や塗装・蒸着を施したもの（図２の例と同じである）、である。図８の（ａ）〜（ｃ）のいずれの構造も、内蔵照明部３からの光を外付け照明筐体２に備えた受光部４に向けて反射させることができる。
【実施例７】
【００１３】
図９は、レンズバリア１２を利用して導光部７を形成した例を示す。本実施例の導光部７は、（ａ）は、レンズバリア１２の上端部に反射突起部１２１を形成し、あるいは反射のための表面処理や塗装・蒸着を施したもの、（ｂ）は、実施例６のように外装１１に導光部７を形成したものであるが、レンズバリア１２の動きによって必要な時導光部７が現れ、不要な時導光部７が隠れる構造としたもの、である。図９の（ａ）（ｂ）のいずれの構造も、レンズバリア１２を移動して鏡胴１１を露出させた状態で、内蔵照明部３からの光を外付け照明筐体２に備えた受光部４に向けて反射させることができる。
【実施例８】
【００１４】
図１０は、導光部７として光伝達部材を利用した例を示す。すなわち、本実施例の導光部７は、（ａ）は、内蔵照明部３の上部のカメラ本体１に光を透過する光ファイバのような光伝達部材を設けたもの、（ｂ）は、内蔵照明部３の上端部と受光部４との間を光ファイバのような光伝達部材にて接続したもの、である。図１０の（ａ）（ｂ）のいずれの構造も、内蔵照明部３からの光をカメラ本体１の上方に出し、外付け照明筐体２に備えた受光部４に向けて導いている。
【実施例９】
【００１５】
図１１は、前面パネル３２と外装１１を利用して導光部７を形成した例を示す。すなわち、本実施例の導光部７は、部品（外装１１や前面パネル３２など）の一部分を利用したもの、もしくは、部品の一部分に光を通す部材を設けたもの、である。内蔵照明部３からの光は光を通す物質を通過し、外付け照明筐体２の受光部４で受光され得る。この場合、光を通す部材は透過率の良いガラスやモールドなどが用いられ、前面パネル３２の上方への光を光透過部材にて導き、あたかも窓のように外付け照明筐体２の受光部方向に光を通す。
【実施例１０】
【００１６】
図１２は、導光部７として光を透過する孔を形成した例を示す。すなわち、本実施例の導光部７は、（ａ）は、内蔵照明部３の上方の外装１１の一部に孔を穿った構造のもの、（ｂ）は、外装１１の一部と反射笠とに孔を穿った構造のもの、である。図１２の（ａ）（ｂ）のいずれの構造も、内蔵照明部３からの光を孔を通してカメラ本体１の上方に出し、外付け照明筐体２に備えた受光部４に向けて導いている。
【実施例１１】
【００１７】
図１３は、着脱可能な反射体を導光部７として備えた例を示す。すなわち、本実施例の導光部７は、（ａ）は、モールド部材やゴム部材などを外装１１に圧入やツメにて係合させて脱着可能にしたもの、（ｂ）は、シールやテープなどを鏡胴に当る外装１１に貼付して脱着可能にしたもの、（ｃ）は、リング状のゴム部材やモールド部材を鏡胴に当る外装１１に脱着可能にしたもの、である。図１３の（ａ）〜（ｃ）のいずれの構造も、内蔵照明部３からの光を外付け照明筐体２に備えた受光部４に向けて反射させることができる。
以上各実施例にあっては、図１４に示す配光余裕を利用している。すなわち、内臓照明部３の光源３０の発光によってカメラ本体１の前方に照射される。この照射は、照明照射範囲に当る配光角にて照明する。ここで、カメラの撮像範囲である画角は通常配光角より狭く、配光角から画角を引いた配光余裕が必ず存在する。そのため、この撮像に影響を及ぼさない配光余裕内の光を導光部７に導き外付け照明筐体２に備えた受光部４への光として利用する。このことで、撮像に必要な光はなんら影響なく光を利用することができる。また配光余裕の光を利用するように導光部７を備える。
【産業上の利用可能性】
【００１８】
以上のように、本発明にかかる画像記録装置は、外付け照明部の発光に有用であり、特に、内蔵照明部と外付け照明部との同時発光に適している。
【図面の簡単な説明】
【００１９】
【図１】本発明の実施形態であるカメラ全体の概略構成図である。
【図２】実施例１の構成図である。
【図３】光源と集光部の構成図である。
【図４】実施例２の構成図である。
【図５】実施例３の構成図である。
【図６】実施例４の構成図である。
【図７】実施例５の構成図である。
【図８】実施例６の構成図である。
【図９】実施例７の構成図である。
【図１０】実施例８の構成図である。
【図１１】実施例９の構成図である。
【図１２】実施例１０の構成図である。
【図１３】実施例１１の構成図である。
【図１４】配光余裕の説明図である。
【図１５】従来例の説明図である。
【符号の説明】
【００２０】
１  カメラ本体、２  外付け照明筐体、３  内蔵照明部、４  受光部、５  外付け照明部
【図１】
2005181686.tif 000003
【図２】
2005181686.tif 000004
【図３】
2005181686.tif 000005
【図４】
2005181686.tif 000006
【図５】
2005181686.tif 000007
【図６】
2005181686.tif 000008
【図７】
2005181686.tif 000009
【図８】
2005181686.tif 000010
【図９】
2005181686.tif 000011
【図１０】
2005181686.tif 000012
【図１１】
2005181686.tif 000013
【図１２】
2005181686.tif 000014
【図１３】
2005181686.tif 000015
【図１４】
2005181686.tif 000016
【図１５】
2005181686.tif 000017